(57)【要約】      （修正有）【課題】高流量のインク供給及びインクの完全な流出を達成することができる筆記具及び筆記具の排出ユニットを提供する。【解決手段】筆記具は、筆記ユニット１０、毛細管部材２０、排出ユニット３０及び付け替え可能なインクカートリッジ４０を備える。毛細管部材、排出ユニット及び付け替え可能なインクカートリッジは筆記ユニット内に取付けられる。排出ユニットは、毛細管部材と接触し、少なくとも１つの切断用部分を有する。付け替え可能なインクカートリッジは、中にインクを収容し、一端にフィルムを有する。付け替え可能なインクカートリッジは排出ユニット内に取付けられ、フィルムは少なくとも１つの切断用部分によって突き刺され、切断される。インクはフィルムを通じて流れ、毛細管部材及び排出ユニットを介して筆記ユニットへと供給される。筆記具はこのようにしてインクを澱みなく排出し、残インクをなくすことができる。【選択図】図２
2018192782.tif 000002
【特許請求の範囲】
【請求項１】
チューブ及び前記チューブの端部に取付けられたペン先を有する筆記ユニットと、
前記チューブ内に取付けられ、且つ前記ペン先と接触する毛細管部材と、
前記チューブ内に取付けられる排出ユニットであって、
少なくとも１つの切断用部分、第１連結部及び外部通路を有するインバウンド部であって、前記少なくとも１つの切断用部分が前記少なくとも１つの切断用部分の上部に形成された少なくとも１つの鋭い刃先を有し、前記第１連結部が前記少なくとも１つの切断用部分を取り囲み、前記外部通路が前記少なくとも１つの切断用部分及び前記第１連結部の間で画定されるインバウンド部、
前記毛細管部材と接触するアウトバウンド部、並びに
前記アウトバウンド部、前記インバウンド部及び前記外部通路と連通する排出通路を有する排出ユニットと、
前記チューブ内に取付けられ、且つ前記排出ユニットと連通する付け替え可能なインクカートリッジであって、
前記第１連結部に接続される第２連結部、
前記付け替え可能なインクカートリッジに収容されているインク、及び
前記インクの排出のために、前記少なくとも１つの刃先によって切断されるフィルムを有する付け替え可能なインクカートリッジとを備える筆記具。
【請求項２】
前記少なくとも１つの刃先が少なくとも１つの第１鋭利端及び少なくとも１つの第２鋭利端を備え、高さの差が前記少なくとも１つの第１鋭利端と前記少なくとも１つの第２鋭利端との間で規定される請求項１に記載の筆記具。
【請求項３】
前記第１連結部が、前記第１連結部の外周に環状に形成された当接縁部を備え、且つ前記当接縁部及び前記第１連結部の最上部側の間における軸方向距離である組立ストロークを規定し、前記組立ストロークが前記少なくとも１つの切断用部分の前記高さの差よりも大きい請求項２に記載の筆記具。
【請求項４】
前記排出ユニットが、環状に配置され且つ互いに離間した少なくとも２つの前記切断用部分を備える請求項２の筆記具。
【請求項５】
前記少なくとも１つの刃先が、湾曲し、且つ前記少なくとも１つの第１鋭利端から前記少なくとも１つの第２鋭利端へと傾斜している請求項２に記載の筆記具。
【請求項６】
前記少なくとも２つの切断用部分の前記刃先の各々が、湾曲し、且つ前記少なくとも１つの第１鋭利端から前記少なくとも１つの第２鋭利端へと傾斜している請求項４に記載の筆記具。
【請求項７】
前記排出通路が、前記少なくとも２つの切断用部分によって取り囲まれ且つ少なくとも２つのガイド空隙を介して前記外部通路と連通する内部通路を備える請求項４に記載の筆記具。
【請求項８】
前記インバウンド部の前記第１連結部が少なくとも１つの密封用リブ部を備え、前記少なくとも１つの密封用リブ部の外径が前記第２連結部の内径以上である請求項１に記載の筆記具。
【請求項９】
前記付け替え可能なインクカートリッジに被せられるキャップをさらに備え、前記キャップが、前記キャップの最下端部に環状に形成され且つ互いに離間する複数の押出用つまみ部を有し、前記第２連結部が、前記付け替え可能なインクカートリッジの外周に環状に形成され且つ互いに離間する複数の当接リブ部を有し、これにより前記キャップが、前記押出用つまみ部が各々前記当接リブ部に対して押し当てられるように、前記付け替え可能なインクカートリッジを回転可能に駆動して前記チューブに取付ける請求項１に記載の筆記具。
【請求項１０】
筆記具の排出ユニットであって、前記筆記具が毛細管部材、チューブ及び付け替え可能なインクカートリッジを有し、前記排出ユニットが、前記チューブ内に取付けられ、且つ
前記毛細管部材と接触するアウトバウンド部と、
インバウンド部であって、
少なくとも１つの切断用部分の上部に形成された少なくとも１つの鋭い刃先を有する前記少なくとも１つの切断用部分、
前記少なくとも１つの切断用部分によって取り囲まれた第１連結部、並びに
前記少なくとも１つの切断用部分及び前記第１連結部の間において画定される外部通路を有するインバウンド部と、
前記アウトバウンド部、前記インバウンド部及び前記外部通路を連通する排出通路とを備える筆記具の排出ユニット。
【請求項１１】
前記少なくとも１つの刃先が少なくとも１つの第１鋭利端及び少なくとも１つの第２鋭利端を備え、高さの差が前記少なくとも１つの第１鋭利端と前記少なくとも１つの第２鋭利端との間で規定される請求項１０に記載の筆記具の排出ユニット。
【請求項１２】
前記第１連結部が、前記第１連結部の外周に環状に形成された当接縁部を備え、且つ前記当接縁部及び前記第１連結部の最上部側の間における軸上の距離である組立ストロークを規定し、前記組立ストロークが前記少なくとも１つの切断用部分の前記高さの差よりも大きい請求項１１に記載の筆記具の排出ユニット。
【請求項１３】
前記排出ユニットが、環状に配置され且つ互いに離間した少なくとも２つの前記切断用部分を備える請求項１１に記載の筆記具の排出ユニット。
【請求項１４】
前記少なくとも２つの切断用部分の前記刃先の各々が、湾曲し、且つ前記少なくとも１つの第１鋭利端から前記少なくとも１つの第２鋭利端へと傾斜している請求項１３に記載の筆記具の排出ユニット。
【請求項１５】
前記排出通路が前記少なくとも１つの切断用部分によって取り囲まれた内部通路を備え、前記内部通路が少なくとも１つのガイド空隙によって前記外部通路と連通する請求項１０に記載の筆記具の排出ユニット。
【発明の詳細な説明】
【技術分野】
【０００１】
本発明は筆記文具に関し、より詳細には筆記具及び筆記具の排出ユニットに関する。
【背景技術】
【０００２】
欧州特許出願公開第０５７０８６６号は、交換可能なインクリフィルを有する筆記用具を開示する。当該筆記用具のインクリフィルは中綿にインクを貯蔵する。すなわちインクはインクリフィル内部に液状で直接保存されていない。先の尖った部材が、インクリフィル上のフィルムを突き刺すように、インク排出ユニットの一端に取付けられる。こうして、インクリフィル上のフィルムが先の尖った部材によって突き刺されて小さな開口を形成すると、インク排出ユニットは中綿と接続され、その小さな開口を介してインクリフィル内のインクが供給可能となる。開口はとても小さく、且つインクリフィル内のインクは中綿に保存されているため、インク排出ユニットのインク供給効率は高くなく、インクの一部はインクリフィル内に留まる傾向にある。
【０００３】
台湾特許出願公開第２０１５１１９８１号は、付け替え可能なインクカートリッジを有する従来型筆記用具を開示する。インクカートリッジの下端に配置された栓が押圧されてインクカートリッジを開くと、インクカートリッジ内部のインクが排出可能となる。前記台湾特許出願公開の図４から図６に示されるように、当該従来型筆記道具の本体から突き出るように形成された突起部が栓を押圧し、次いでその栓が移動して付け替え可能なインクカートリッジの下端を開くと、付け替え可能なインクカートリッジから当該従来型筆記道具の本体へとインクが供給可能となることが、一実施形態に開示されている。
【０００４】
前記台湾特許出願公開の図１１に示される別の実施形態は、当該従来型筆記道具の本体から突き出るように形成された突起部が栓に押し当てられることを開示する。付け替え可能なインクカートリッジの栓は、容易に破壊されないよう硬質材料から形成される。それゆえ、栓が突起部によって押し出されると、栓が反転して付け替え可能なインクカートリッジを開き、インクがインクカートリッジから当該従来型筆記道具の本体へと供給可能となる。
【０００５】
以上から推察されるとおり、栓が移動又は反転される際、この栓の動きが付け替え可能なインクカートリッジを偶発的に塞いでしまい、その結果、インクの供給が円滑でなくなるおそれがある。また、前記台湾特許出願公開の図１１に示される実施形態を参照すると、突起部が付け替え可能なインクカートリッジの内周面に接近しすぎているため、インクカートリッジを当該従来型筆記道具に取付ける過程で、付け替え可能なインクカートリッジがその突起部に干渉しやすく、この過程が円滑でなくなるおそれがある。
【０００６】
上述のインク交換可能な従来型筆記具においてインクカートリッジの付け替えが行われている時、インク排出ユニット又は筆記具の本体はフィルムを突き刺すか又は栓を押し出すことによってインクを供給するために用いられる。前者を例に取ると、フィルムに形成された開口は非常に小さく、インクの供給には有利でない。後者を例に取ると、移動又は反転された栓はインクの供給を塞ぐ場合がある。従っていずれの場合もインクの供給に不都合を生じるだろう。
【先行技術文献】
【特許文献】
【０００７】
【特許文献１】欧州特許出願公開第０５７０８６６号
【特許文献２】台湾特許出願公開第２０１５１１９８１号
【発明の概要】
【発明が解決しようとする課題】
【０００８】
従来の筆記具の短所を克服するために、本発明は筆記具及び筆記具の排出ユニットを提供する。
【課題を解決するための手段】
【０００９】
インク供給に不都合をもたらす交換可能なインクカートリッジを有する従来型筆記具の問題を解決するために、本発明は、高容量のインク供給及びインクの完全な流出を達成することができる筆記具及び筆記具の排出ユニットを提供する。それゆえ、本発明はインク供給に好ましい効果を有し、インクが残りにくい。
【００１０】
当該筆記具はさらに筆記ユニット、毛細管部材、排出ユニット及び付け替え可能なインクカートリッジを備える。前記筆記ユニットはチューブ及び前記チューブの一端に取付けられたペン先を有する。前記毛細管部材、前記排出ユニット及び前記付け替え可能なインクカートリッジはチューブ内に取付けられる。前記毛細管部材の一端はペン先に当接する。前記排出ユニットは、インバウンド部と、アウトバウンド部と、前記インバウンド部及び前記アウトバウンド部に連通する排出通路とを有する。前記アウトバウンド部は前記毛細管部材と当接する。前記インバウンド部は、少なくとも１つの切断用部分、前記少なくとも１つの切断用部分を取り囲む第１連結部、並びに前記少なくとも１つの切断用部分及び前記第１連結部の間において画定される少なくとも１つの外部通路を有する。前記少なくとも１つの切断用部分は、前記少なくとも１つの切断用部分の上部において、少なくとも１つの鋭い刃先を有する。
【００１１】
前記付け替え可能なインクカートリッジは、第２連結部、インク及びフィルムを有する。前記第２連結部は前記第１連結部と接続可能である。前記インクは前記インクカートリッジ内部に収容されている。前記フィルムは、前記切断用部分によって突き刺され、切断されて、インクの排出のための排出口を形成することができる。
【００１２】
好ましくは、前記少なくとも１つの刃先が少なくとも１つの第１鋭利端及び少なくとも１つの第２鋭利端をさらに備え、高さの差が前記少なくとも１つの第１鋭利端及び前記少なくとも１つの第２鋭利端の間で垂直に規定される。
【００１３】
好ましくは、前記第１連結部が、前記第１連結部の外周に環状に形成された当接縁部をさらに備え、組立ストロークが前記当接縁部と前記第１連結部の最上部側との間において規定される軸方向の距離であり、且つ前記組立ストロークが前記少なくとも１つの切断用部分の前記高さの差よりも大きい。
【００１４】
好ましくは、前記排出ユニットが、環状に配置され且つ互いに離間した２つ以上の前記切断用部分をさらに備える。
【００１５】
好ましくは、前記切断用部分の刃先の各々が湾曲し、且つ前記少なくとも１つの第１鋭利端から前記少なくとも１つの第２鋭利端へと傾斜している。
【００１６】
好ましくは、前記排出通路が、少なくとも１つの切断用部分によって取り囲まれ且つ少なくとも１つのガイド空隙を介して前記外部通路と連通する内部通路を備える。
【００１７】
好ましくは、前記インバウンド部の前記第１連結部が少なくとも１つの密封用リブ部を備え、前記少なくとも１つの密封用リブ部の外径が前記第２連結部の内径以上である。
【００１８】
好ましくは、前記筆記具が前記付け替え可能なインクカートリッジに被せられるキャップをさらに備え、前記キャップが前記付け替え可能なインクカートリッジを回転可能に駆動して前記チューブに取付ける。
【００１９】
好ましくは、前記キャップが、前記キャップの最下端部に環状に形成され且つ互いに離間する複数の押出用つまみ部をさらに備え、前記第２連結部が、前記付け替え可能なインクカートリッジの外周に環状に形成され且つ互いに離間する複数の当接リブ部を備え、前記キャップが、前記押出用つまみ部が各々前記当接リブ部に対して押し当てられるように、前記付け替え可能なインクカートリッジを回転可能に駆動してチューブに取付ける。
【図面の簡単な説明】
【００２０】
【図１】本発明に係る筆記具の第１実施形態の斜視図である。
【図２】図１に示される筆記具の部分分解斜視図である。
【図３】図１に示される筆記具の排出ユニットの断面図である。
【図４】図１に示される筆記具の排出ユニットの別の断面図である。
【図５】作動中の筆記具の一部の概略図であり、キャップが、付け替え可能なインクカートリッジを回転可能に駆動して排出ユニットに取付けることを示す図である。
【図６】作動中の筆記具の部分拡大断面図であり、付け替え可能なインクカートリッジを回転可能に排出ユニットに取付ける過程で、付け替え可能なインクカートリッジのフィルムが切断されようとしているところを示す図である。
【図７】付け替え可能なインクカートリッジを回転可能に排出ユニットに取付ける過程で、付け替え可能なインクカートリッジのフィルムが切断されるところを示す図である。
【図８】付け替え可能なインクカートリッジを排出ユニットに回転可能に取付ける過程で、フィルムが切断されたところを示す図である。
【図９】付け替え可能なインクカートリッジの部分概略図であり、付け替え可能なインクカートリッジのフィルムの切断前後の状態を示す図である。
【図１０】筆記具の別の断面図であり、インクカートリッジが排出ユニットへと強く直接に押圧される前後の付け替え可能なインクカートリッジのフィルムの状態を示す図である。
【図１１】本発明の第２実施形態に係る筆記具の排出ユニットの斜視図である。
【図１２】本発明の第３実施形態に係る筆記具の排出ユニットの斜視図である。
【発明を実施するための形態】
【００２１】
まず、方向を示す参照語彙、例えば、「外側」、「内側」、「外部」、「内部」、「外方」、「内方」、「下方」、「上方」、「上部」、「下部」、「最上部」、「最下部」、「前側」等は、図面を参照することで本発明を読者に容易に理解させるための識別目的にて、慣習的な見方での図面の向きに基づいて用いられているのみであり、これらに関連する要素、特に本開示における配置、方向、又は使用を限定しない。また、本明細書の記載が、本発明の原理から逸脱することなく、配置、方向、及び向きを伝える他の語彙を含み得ることを当業者は理解すべきである。
【００２２】
図１及び図２を参照すると、本発明の第１実施形態に従って構成された筆記具は、筆記ユニット１０、毛細管部材２０、排出ユニット３０、付け替え可能なインクカートリッジ４０及びキャップ５０を備える。
【００２３】
筆記ユニット１０はチューブ１１及びペン先１２を備える。チューブ１１は、円筒形であり、ヘッド部１１０、テール部１１１、及びヘッド部１１０とテール部１１１との間において内部に形成される組立スペース１１２を備える。テール部１１１の内周には、複数の雌ねじ山１１３が突設され、螺旋状に延びている。キャップ５０を位置決めするために、切れ目１１４が雌ねじ山１１３の前側端部ごとに形成される。ペン先１２は、筆記するためにインク（図示せず）を排出するためのチューブ１１のヘッド部１１０に取付けられる。
【００２４】
図２に示されるように、毛細管部材２０はチューブ１１の組立スペース１１２内に取付けられ、その一端がペン先１２の遠位端と接触する。毛細管部材２０、はインク（図示せず）を一時的に保管及び吸蔵するために、綿を主体とした材料から製造される。
【００２５】
図２を考慮しつつ図３を参照すると、排出ユニット３０は、チューブ１１の組立スペース１１２内に取付けられ、毛細管部材２０の一端に当接する。排出ユニット３０は、アウトバウンド部３１、インバウンド部３２及びアウトバウンド部３１とインバウンド部３２とを連通する排出通路３３を備える。分割プレート３４は、インバウンド部３２とアウトバウンド部３１との間に形成され、これによりアウトバウンド部３１及びインバウンド部３２が排出通路３３の２つの対向端部になる。アウトバウンド部３１は、インクガイドチューブ３１１、外側環状部分３１２、複数のガイド出口３１３及び複数のバッフル３１４を有する。インクガイドチューブ３１１及び外側環状部分３１２はそれぞれ分割プレート３４から下方に延びている。インクガイドチューブ３１１は、長手方向下方に延び、外側環状部分３１２を越えて延びている。外側環状部分３１２はインクガイドチューブ３１１を取り囲む。ガイド出口３１３は、インクガイドチューブ３１１の下端において環状又は放射状に形成され、インクガイドチューブ３１１からのインクを外側に向かって導く。バッフル３１４は、インクガイドチューブ３１１と外側環状部分３１２との間に形成され、等間隔に配置される。バッフル３１４の各々は、インクガイドチューブ３１１から突出し、インクガイドチューブ３１１に沿って軸方向に、分割プレート３４から外側に向かって延び、外側環状部分３１２よりも軸方向に僅かに長い。バッフル３１４は毛細管部材２０を押し付けるために用いられるものである。
【００２６】
図２及び図３を考慮しつつ図４を参照すると、インバウンド部３２は、２つの切断用部分３２１、第１連結部３２２、内部通路３２３、外部通路３２４及び２つのガイド空隙３２５を有する。切断用部分３２１の各々は、分割プレート３４から上方に延びる。第１連結部３２２は切断用部分３２１の周囲に環状に形成される。２つの切断用部分３２１は、対向して配置され、断面視で、対称又は非対称に湾曲してよい。切断用部分３２１の各々は切断用部分３２１の最上部側に形成された刃先３２１０を有する。刃先３２１０の各々は、鋭く、長手方向に沿って連続的に延びている。刃先３２１０の各々は少なくとも１つの第１鋭利端及び少なくとも１つの第２鋭利端を有する。高さの差Ｈは、刃先３２１０の各々について、第１鋭利端及び第２鋭利端との間で垂直方向に規定される。
【００２７】
本発明の第１実施形態において、切断用部分３２１の刃先３２１０の各々は、湾曲し、且つ刃先３２１０の第１鋭利端から第２鋭利端へと下方に時計回りで傾斜している。或いは切断用部分３２１の刃先３２１０の各々は、湾曲していてよく、且つ刃先３２１０の第１鋭利端から第２鋭利端へと下方に反時計回りで傾斜してもよい。切断用部分３２１の刃先３２１０の長さは、互いに等しくてもよく、又は等しくなくてもよい。本発明の第１実施形態では、切断用部分３２１の刃先３２１０の長さは、互いに等しくない。すなわち１つの前記切断用部分３２１の刃先３２１０は、他の刃先３２１０よりも長い。この構造により、刃先３２１０がインクカートリッジ（図示せず）のフィルム（図示せず）を環状に突き刺して切断した後、そのフィルムがインクカートリッジと切り離されないようにすることができる。
【００２８】
図２及び図３に示されているように、内部通路３２３は、切断用部分３２１によって取り囲まれ、インクガイドチューブ３１１と連通する。外部通路３２４は切断用部分３２１と第１連結部３２２との間で画定される。２つのガイド空隙３２５の各々は、切断用部分３２１の隣接する側の間において形成され、内部通路３２３及び外部通路３２４と連通する。インク（図示せず）はガイド空隙３２５を介して導かれ供給されることができる。インバウンド部３２の第１連結部３２２は当接縁部３２２０及び２つの密封用リブ部３２２１を有する。当接縁部３２２０は、第１連結部３２２の外周に環状に形成され、外側環状部分３１２に接続される。２つの密封用リブ部３２２１は第１連結部３２２の外周に環状に形成される。
【００２９】
組立ストロークＬは、当接縁部３２２０と第１連結部３２２の最上部端部との間で軸方向に規定される。組立ストロークＬは、高さの差Ｈよりも大きい。排出ユニット３０は、さらに、第１連結部３２２の外周に環状に形成され、且つ当接縁部３２２０と外側環状部分３１２との間に配置される複数の細長の係合凸状部３５を有する。これらの係合凸状部３５によって、排出ユニット３０は、チューブ１１と係合し、排出ユニット３０がチューブ１１から外れるのを防止できる。排出通路３３は、インク（図示せず）を毛細管部材２０に供給するために、アウトバウンド部３１のインクガイドチューブ３１１の内部空間とインバウンド部３２の内部通路３２３とを含むように画定される。
【００３０】
図２及び図６に示されるように、付け替え可能なインクカートリッジ４０は、組立スペース１１２及びキャップ５０内に取付けられ、排出ユニット３０と連通する。付け替え可能なインクカートリッジ４０は、管状で、その中に貯蔵されているインク（図示せず）、第２連結部４１及びフィルム４２を有する。第２連結部４１は付け替え可能なインクカートリッジ４０の一端に形成される。付け替え可能なインクカートリッジ４０は、第２連結部４１が第１連結部３２２に被せられるようにして排出ユニット３０と接続される。第２連結部４１の外径及び内径は付け替え可能なインクカートリッジ４０の他の部分の外径及び内径よりも大きい。上述の密封用リブ部３２２１の各々の外径は、第２連結部４１の内径よりも大きくてもよく、又は等しくてもよい。好ましくは、上述の密封用リブ部３２２１の各々の外径は第２連結部４１の内径よりも大きい。第２連結部４１は、複数の当接リブ部４１０及び１つの段差縁部４１１を有する。当接リブ部４１０は、付け替え可能なインクカートリッジ４０の外周に等間隔で環状に配置され、第２連結部４１の最上部端部から上側に延びている。段差縁部４１１は第２連結部４１の内周に環状に形成されている。挿込ストロークＬ１は段差縁部４１１と第２連結部４１の最下部端部との間で規定される。挿込ストロークＬ１は、組立ストロークＬと実質的に同じ長さである。図２及び図６を再び参照すると、フィルム４２は軟質材料から製造され、熱融着によって第２連結部４１の段差縁部４１１に取付けられる。好ましくは、フィルム４２はポリエチレン（ＰＥ）及びアルミニウム箔から製造され、フィルム４２は、付け替え可能なインクカートリッジ４０に好適に接着されることができ、且つ顕著な拡張性を有する。インクはフィルム４２によって付け替え可能なインクカートリッジ４０の内部に密封される。フィルム４２が排出ユニット３０の切断用部分３２１のうちのいずれかによって突き刺され、切断されると、インクが第２連結部４１から外側に向かって流出して排出ユニット３０へと導かれることができ、その結果、排出通路３３と付け替え可能なインクカートリッジ４０とは互いに連通する。
【００３１】
図１及び図２を再び参照すると、キャップ５０は、付け替え可能なインクカートリッジ４０に被せられ、チューブ１１の組立スペース１１２にねじ止めされる。キャップ５０は、中空で、組立てセグメント５１、複数の雄ねじ山５２、複数の係合リブ部５３及び複数の押出用つまみ部５４を有する。組立てセグメント５１は、管状で、組立スペース１１２の形状に対応する形状を有する。雄ねじ山５２は、組立てセグメント５１に螺旋状に形成され、雌ねじ山１１３にそれぞれ対応する。係合リブ部５３は雄ねじ山５２の最上部端部に形成され、且つ環状に配置され、それぞれ切れ目１１４の位置に対応する。押出用つまみ部５４は、組立てセグメント５１の最下部端部に形成され、等間隔で環状に配置され、それぞれ当接リブ部４１０の位置に対応する。
【００３２】
本発明の第１実施形態は、ネジ式接続により付け替え可能なインクカートリッジ４０を取付ける過程を図示する図５から図９に示されるように操作される。筆記具の付け替え可能なインクカートリッジ４０のインク（図示せず）が切れた場合、付け替え可能なインクカートリッジ４０は、以下で記載されるように、筆記具から取り外され、別の新しい付け替え可能なインクカートリッジ（図示せず）に取り替えられることができる。
【００３３】
まず、チューブ１１の組立スペース１１２に付け替え可能なインクカートリッジ４０を入れ、キャップ５０を付け替え可能なインクカートリッジ４０に被せる。次いで、キャップ５０の雄ねじ山５２がチューブ１１の雌ねじ山１１３と係合するようにキャップ５０をチューブ１１に徐々にねじって止める。付け替え可能なインクカートリッジ４０の当接リブ部４１０が組立てセグメント５１の最下部側と接触するように移動した後、当接リブ部４１０は押出用つまみ部５４をそれぞれ押出すことで、付け替え可能なインクカートリッジ４０を、キャップ５０に沿って下方に螺旋状に移動させることができる。
【００３４】
その後、付け替え可能なインクカートリッジ４０の第２連結部４１は、まず、排出ユニット３０の第１連結部３２２に被せられ、他方で上述の各々の切断用部分３２１の第１鋭利端がフィルム４２に対して押し当てられ、第２連結部４１は最上部の密封用リブ部３２２１と係合し、第２連結部４１及び第１連結部３２２を密封する。こうして第２連結部４１と第１連結部３２２との間に空隙は形成されない。このようにして、フィルム４２が誤って突き刺されたときでも、インクが第２連結部４１又は第１連結部３２２から漏れ出ることを防ぐことができる。キャップ５０によって付け替え可能なインクカートリッジ４０がさらに駆動され下方に移動された場合、第２連結部４１は２つの密封用リブ部３２２１を乗り越えて、最終的に段差縁部４１１は当接縁部３２２０に当接する。他方で、図５を考慮しつつ図２を再び参照すると、キャップ５０の係合リブ部５３は切れ目１１４と係合し、こうしてキャップ５０とチューブ１１とが互いに固定して接続される。
【００３５】
図６から図８に示されるように、付け替え可能なインクカートリッジ４０がキャップ５０により駆動され下方に移動すると、付け替え可能なインクカートリッジ４０のフィルム４２は、刃先３２１０の第１鋭利端の一方又は両方がフィルム４２を突き刺し、切断するまで、上述の切断用部分３２１の各々の刃先３２１０へと徐々に移動される。
【００３６】
図８及び図９に示されるように、キャップ５０のストロークはチューブ１１の雌ねじ山１１３によって制限され、付け替え可能なインクカートリッジ４０が約１８０度の角度で回転された場合、付け替え可能なインクカートリッジ４０のフィルム４２は、２つの切断用部分３２１の刃先３２１０によって切断され、２つの湾曲した出口部４２０をそれぞれ形成する。しかしながら、２つの湾曲した出口部４２０のいずれかの２つの端部は他方の出口部の端部と完全には重ならず、フィルム４２全体は段差縁部４１１上に残り続け、排出ユニット３０の内部通路３２３及び外部通路３２４のどちらも塞がない。このようにして、インクは付け替え可能なインクカートリッジ４０から排出ユニット３０の排出通路３３へと流れる。図１から図３に示されるように、インクはアウトバウンド部３１を介して毛細管部材２０及びペン先１２へと導かれ、こうしてインクは、円滑な筆記のために澱みなく排出されることができる。インクの一部は外部通路３２４へと流れる場合もあるが、外部通路３２４へと流れるインクはガイド空隙３２５を介して内部通路３２３に戻ることができる。このようにして、インクはインバウンド部３２内で停滞しない。
【００３７】
別法として、本発明の第１実施形態は、押圧により、付け替え可能なインクカートリッジ４０を取付ける過程を図示する図１０、図２、及び図５に示されるように操作される。筆記具の付け替え可能なインクカートリッジ４０のインクが切れた場合、付け替え可能なインクカートリッジ４０は、以下で記載されるように、筆記具から取外され、別の付け替え可能なインクカートリッジ（図示せず）に取り替えられることができる。
【００３８】
図１０を参照すると、付け替え可能なインクカートリッジ４０は、インバウンド部３２の２つの切断用部分３２１に向かって直接、下方に押圧される一方で、フィルム４２は切断用部分３２１の第１鋭利端の一方又は両方によって突き刺され、切断されることができる。その後、インクは付け替え可能なインクカートリッジ４０から排出ユニット３０の排出通路３３へと流れ、次いでアウトバウンド部３１を介して毛細管部材２０及びペン先１２に導かれることができる。このようにしてインクは円滑な筆記のために澱みなく排出されることができる。図５を参照すると、キャップ５０は最後にチューブ１１にネジ止めされ、こうして筆記具の組立てが完了する。
【００３９】
図１１を参照すると、本発明の第２実施形態は、本発明の第１実施形態に類似し、且つ以下の相違点を有する。インバウンド部３２Ａは１つの上述の切断用部分３２１のみを有し、この形状は実質的に第１実施形態の切断用部分３２１の一方の形状と同じである。内部通路３２３は切断用部分３２１によって取り囲まれている。外部通路３２４は切断用部分３２１を取り囲む。内部通路３２３は外部通路３２４と連通しており、従って外部通路３２４は排出通路３３と連通する。第２実施形態の他の構造的特徴は本発明の第１実施形態と構造的特徴と同じであるので、その詳細な説明は省略する。
【００４０】
図１２を参照すると、本発明の第３の実施形態は本発明の第１実施形態に類似し、且つ以下の相違点を有する。排出ユニット３０Ｂは３つの上述の切断用部分３２１を有するが、その形状は実質的に第１実施形態の切断用部分３２１の形状と同じである。内部通路３２３は切断用部分３２１間で画定され、すなわち内部通路３２３は切断用部分３２１によって取り囲まれている。外部通路３２４は、切断用部分３２１を取り囲み、切断用部分３２１と第１連結部３２２との間に位置する。３つの上述のガイド空隙３２５が形成され、内部通路３２３と外部通路３２４とを連通する。他の構造的特徴は本発明の第１実施形態と同一であるので、その詳細な説明は省略する。
【００４１】
本発明の排出ユニット３０は、少なくとも１つの切断用部分３２１を形成し、この少なくとも１つの切断用部分３２１は、突き刺し及び切断のために、少なくとも１つの鋭い刃先３２１０を形成する。付け替え可能なインクカートリッジ４０は軟質のフィルム４２でインクを密封する。付け替え可能なインクカートリッジ４０が排出ユニット３０に取付けられると、フィルム４２は排出ユニット３０の少なくとも１つの切断用部分３２１によって突き刺され、切断されることができ、こうしてインクが付け替え可能なインクカートリッジ４０から毛細管部材２０及び筆記ユニット１０へと円滑に排出されることができる。それゆえ、ユーザがインク切れの付け替え可能なインクカートリッジ４０を付け替える必要がある場合、残インクはほぼなく、ユーザの手を汚さない。少なくとも１つの切断用部分３２１の数、形状及び他の構造的特徴は、なんら制限なく状況に応じて変更可能である。
【００４２】
付け替え可能なインクカートリッジ４０は完全に排出ユニット３０を覆うことができる。さらに、第１連結部３２２は２つの密封用リブ部３２２１を形成し、密封用リブ部３２２１の外径の各々は第２連結部４１の内径よりも僅かに大きい。従って第２連結部４１は、組立ての過程において、密封用リブ部３２２１を乗り越えるため僅かに力を加えられる必要がある。このようにして、組立ての過程、又は付け替え可能なインクカートリッジ４０の付け替えにおいて、排出ユニット３０からのインクの漏出を防ぐことができる。
【００４３】
付け替え可能なインクカートリッジ４０は、ネジ止めによる接続又は押圧によって排出ユニット３０と共に組立てられることができる。付け替え可能なインクカートリッジ４０のフィルム４２が排出ユニット３０によって突き刺され、切断された後、フィルム４２は付け替え可能なインクカートリッジ４０の段差縁部４１１に残り続けることができる。これにより、残インクで汚れたフィルム４２が付け替え可能なインクカートリッジ４０から落ちて外れてしまうことを防ぐことができ、付け替え可能なインクカートリッジ４０が付け替えられているときに、ユーザの手又は任意の近くにある物を汚してしまうことを回避することができる。残インクを有するフィルム４２は、付け替え可能なインクカートリッジ４０と共に処分又はリサイクル可能である。
【００４４】
加えて、付け替え可能なインクカートリッジ４０が排出ユニット３０に取付けられる場合、排出ユニット３０は、インクを導くために、少なくとも１つの切断用部分３２１と第１連結部３２２との間に外部通路３２４を有し、その少なくとも１つの切断用部分３２１の位置は第１連結部３２２とは離れており、それにより、組立ての過程で、その少なくとも１つの切断用部分３２１が、付け替え可能なインクカートリッジ４０の段差縁部４１１と干渉することを防ぐことができ、これにより、その少なくとも１つの切断用部分３２１が損傷することを防ぐ。
【００４５】
本発明の多くの特徴及び利点が上述の記載において本発明の構造及び機能の詳細と共に記載されているが、本出願における開示はあくまで例示的なものである。様々な変更が詳細になされてよい。とりわけ形状、大きさ及び様々な部品の構成については、添付の特許請求の範囲が表現する語彙の広い一般的な意味合いにより示される最も広い範囲の程度まで、本発明の原理内で変更がなされてよい。
【符号の説明】
【００４６】
１０              筆記ユニット
１１              チューブ
１２              ペン先
１１０            ヘッド部
１１１            テール部
１１２            組立スペース
１１３            雌ねじ山
５０              キャップ
１１４            切れ目
２０              毛細管部材
３０、３０Ｂ      排出ユニット
３１              アウトバウンド部
３２              インバウンド部
３３              排出通路
３４              分割プレート
３１１            インクガイドチューブ
３１２            外側環状部分
３１３            ガイド出口
３１４            バッフル
３２１            切断用部分
３２２            第１連結部
３２３            内部通路
３２４            外部通路
３２５            ガイド空隙
３２１０          刃先
３２２０          当接縁部
３２２１          密封用リブ部
Ｌ                組立ストローク
３５              係合凸状部
４０              付け替え可能なインクカートリッジ
４１              第２連結部
４２              フィルム
４１０            当接リブ部
４１１            段差縁部
Ｌ１              挿込ストローク
５１              組立てセグメント
５２              雄ねじ山
５３              係合リブ部
５４              押出用つまみ部
４２０            出口部
【図１】
2018192782.tif 000003
【図２】
2018192782.tif 000004
【図３】
2018192782.tif 000005
【図４】
2018192782.tif 000006
【図５】
2018192782.tif 000007
【図６】
2018192782.tif 000008
【図７】
2018192782.tif 000009
【図８】
2018192782.tif 000010
【図９】
2018192782.tif 000011
【図１０】
2018192782.tif 000012
【図１１】
2018192782.tif 000013
【図１２】
2018192782.tif 000014